(57)【要約】      （修正有）【課題】美観を損ねることなく外部部品取付部材と外観部材とを固定することができる電子機器を提供する。【解決手段】電子機器は、外部部品を取り付ける外部部品取付部材（２１、２２）と、外部部品取付部材（２１、２２）と固定される突き出し部（２３ａ）を有した第１の外観部材（２３）と、外部部品取付部材（２１、２２）と第１の外観部材（２３）の突き出し部（２３ａ）との固定部（２３ａ）を隠蔽し、第１の外観部材（２３）の表面と略同一面を形成する表面を有した第２の外観部材（２４）とを備える。【選択図】図３
2008191229.tif 000002
【特許請求の範囲】
【請求項１】
外部部品を取り付ける外部部品取付部材と、
前記外部部品取付部材と固定される第１の外観部材と、
前記外部部品取付部材と前記第１の外観部材との固定部を隠蔽する第２の外観部材と、
を備える電子機器。
【請求項２】
請求項１に記載の電子機器において、
前記第１の外観部材及び前記第２の外観部材は、当該電子機器の少なくとも一部を覆うカバー部材であること、
を特徴とする電子機器。
【請求項３】
請求項１又は請求項２に記載の電子機器において、
前記第１の外観部材は、前記外部部品取付部材が固定されている突き出し部を備え、
前記第１の外観部材の表面は、前記第２の外観部材の表面と略同一面を形成すること、
を特徴とする電子機器。
【請求項４】
請求項１から請求項３までのいずれか１項に記載の電子機器において、
前記外部部品取付部材及び前記第１の外観部材は、金属で形成されること、
を特徴とする電子機器。
【請求項５】
請求項１から請求項４までのいずれか１項に記載の電子機器において、
前記外部部品取付部材及び前記第１の外観部材は、ネジによって固定されること、
を特徴とする電子機器。
【請求項６】
請求項１から請求項５までのいずれか１項に記載の電子機器において、
前記外部部品取付部材は、複数の部材から形成されること、
を特徴とする電子機器。
【請求項７】
請求項６に記載の電子機器において、
前記外部部品取付部材は、アクセサリシュー及びそれを保持する保持部材であり、
前記保持部材は、前記第１の外観部材に固定されること、
を特徴とする電子機器。
【請求項８】
請求項１から請求項７までのいずれか１項に記載の電子機器において、
前記第１の外観部材及び前記外部部品取付部材は、導電性を有した部材で形成され、導通していること、
を特徴とする電子機器。
【発明の詳細な説明】
【技術分野】
【０００１】
本発明は、外部部品を取り付けることができる電子機器に関するものである。
【背景技術】
【０００２】
電子機器、例えば、カメラでは、その外部に、補助照明光を発光する閃光発光装置などの後付けの装置や部品等（外部部品）を取り付けるアクセサリシューが設けられている。その場合、取り付けた外部部品による荷重に耐えるために、アクセサリシュー及びそれを固定する固定部の強度を向上させることが要求される（例えば、特許文献１）。
特許文献１のカメラは、そのボディカバー（外観部品）内に、十分な剛性を有した保持部材を設け、その保持部材を介してアクセサリシューを固定することで、閃光発光装置などからの荷重に対応している。
しかし、このような構成を有したカメラは、保持部材をカメラのボディカバーに固定するのが一般的であるため、保持部材の固定用のネジなどがボディカバー上に表出してしまい、カメラの美観を損ねることがあった。また、保持部材を固定するカメラのボディカバーに対しても、保持部材と同様の強度が要求されるので、強度の高い材料を使用したり、ボディカバーの厚みを厚くしたりする必要が生じ、カメラのコストアップの要因になったり、カメラの小型化を阻害する要因になったりする問題があった。
【特許文献１】特開平０８−２２０６０７号公報
【発明の開示】
【発明が解決しようとする課題】
【０００３】
本発明の課題は、美観を損ねることなく外部部品取付部材と外観部材とを固定することができる電子機器を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、外部部品を取り付ける外部部品取付部材（２１、２２）と、前記外部部品取付部材（２１、２２）と固定される第１の外観部材（２３）と、前記外部部品取付部材（２１、２２）と前記第１の外観部材（２３）との固定部（２３ａ）を隠蔽する第２の外観部材（２４）と、を備える電子機器（１０）である。
請求項２の発明は、請求項１に記載の電子機器（１０）において、前記第１の外観部材（２３）及び前記第２の外観部材（２４）は、当該電子機器（１０）の少なくとも一部を覆うカバー部材であること、を特徴とする電子機器（１０）である。
請求項３の発明は、請求項１又は請求項２に記載の電子機器（１０）において、前記第１の外観部材（２３）は、前記外部部品取付部材（２１、２２）が固定されている突き出し部（２３ａ）を備え、前記第１の外観部材（２３）の表面は、前記第２の外観部材（２４）の表面と略同一面を形成すること、を特徴とする電子機器（１０）である。
請求項４の発明は、請求項１から請求項３までのいずれか１項に記載の電子機器（１０）において、前記外部部品取付部材（２１、２２）及び前記第１の外観部材（２３）は、金属で形成されること、を特徴とする電子機器（１０）である。
請求項５の発明は、請求項１から請求項４までのいずれか１項に記載の電子機器（１０）において、前記外部部品取付部材（２１、２２）及び前記第１の外観部材（２３）は、ネジ（２５）によって固定されること、を特徴とする電子機器（１０）である。
請求項６の発明は、請求項１から請求項５までのいずれか１項に記載の電子機器（１０）において、前記外部部品取付部材（２１、２２）は、複数の部材から形成されること、を特徴とする電子機器（１０）である。
請求項７の発明は、請求項６に記載の電子機器（１０）において、前記外部部品取付部材（２１、２２）は、アクセサリシュー（２２）及びそれを保持する保持部材（２１）であり、前記保持部材（２１）は、前記第１の外観部材（２３）に固定されること、を特徴とする電子機器（１０）である。
請求項８の発明は、請求項１から請求項７までのいずれか１項に記載の電子機器（１０）において、前記第１の外観部材（２３）及び前記外部部品取付部材（２１、２２）は、導電性を有した部材で形成され、導通していること、を特徴とする電子機器（１０）である。
【発明の効果】
【０００５】
本発明によれば、電子機器は、外部部品を取り付ける外部部品取付部材と第１の外観部材との固定部を隠蔽する第２の外観部材を備えているので、固定部を電子機器の外観から表出させることなく外部部品取付部材と第１の外観部材とを固定することができ、電子機器の美観を向上させることができる。
【発明を実施するための最良の形態】
【０００６】
（実施形態）
以下、図面等を参照して、本発明の実施形態をあげて、さらに詳しく説明する。
図１は、本発明による電子機器の実施形態であるカメラを示す模式図である。ここで、説明を明確にするために、図１（ａ）中の座標系の＋Ｚ方向側をカメラの前部、−Ｚ方向側を後部、＋Ｙ方向側を上部、―Ｙ方向側を下部、＋Ｘ方向側を左部、−Ｘ方向側を右部として説明する。
【０００７】
カメラ（電子機器）１０は、図１に示すように、カメラ筐体２０、ファインダー部３０、表示部４０、操作部５０及びレンズ部６０を有したコンパクト式のデジタルカメラである。
カメラ筐体２０は、前カバー２３（第１の外観部材）及び後カバー２４（第２の外観部材）を有しており、撮像素子などの電子部品やシャッタ機構などと、カメラ１０の各部を統括制御する制御部とを有したカメラ本体部（不図示）を覆う外観部材である。
ファインダー部３０は、カメラ１０の後部の上端部に設けられ、レンズ部６０で入射した被写体像を写し出す撮影用の覗き窓である。
【０００８】
表示部４０は、カメラ１０の後部に設けられ、撮影する被写体像や、操作に関連した情報、撮影した被写体像などを表示する液晶ディスプレイである。
操作部５０は、カメラ１０の上部に設けられ、ファインダー部３０又は表示部４０に表示された被写体像の撮影を実行するレリーズスイッチである。
レンズ部６０は、カメラ１０の前面に配置され、カメラ１０の前面に位置する被写体の光を、カメラ本体部に設けられた撮像素子に入射するズーム機能を有したレンズ群である。
【０００９】
図２は、図１（ａ）のＡ部のカメラ筐体の詳細を示す図である。図３は、図２の詳細図を分解した図であり、図４は、図２のＢ−Ｂ断面を示す図である。
カメラ筐体２０は、図２及び図３に示すように、保持部材２１、アクセサリシュー２２、前カバー２３、後カバー２４、固定ビス２５、固定ビス２６及び固定ビス２７を備えている。
保持部材２１は、カメラ１０にアクセサリシュー２２を取り付けるための略Ｌ字型状の金属製の部材である。保持部材２１は、その一端部に、前カバー２３を固定するネジ孔２１ａが２箇所設けられ、ネジ孔２１ａに隣接して、前カバー２３及び後カバー２４を併せて固定するネジ孔２１ｂが１箇所設けられている。また、同じ端部のネジ孔２１ｂに隣接する位置に、アクセサリシュー２２を固定するための固定孔２１ｃが４箇所設けられている。さらに、保持部材２１の他端部には、前述のカメラ本体部に固定される固定孔２１ｄが３箇所設けられている。
後述のアクセサリシュー２２には、補助照明光を発光する閃光発光装置（外部部品、不図示）が後付けで固定されるので、保持部材２１は、閃光発光装置からの荷重に耐えられるような強度を得るために、上述のように金属（例えば、ステンレス）で形成され、前述のカメラ本体部に固定孔２１ｄを介して、不図示の３本の固定ビスによって強固に固定される。
【００１０】
アクセサリシュー２２は、ガイド部材２２ａ、バネ部材２２ｂ及び接点部材２２ｃを備え、閃光発光装置をカメラ１０に後付けするための固定台座である。また、アクセサリシュー２２は、閃光発光装置以外の後付け部品として、集音マイクなどを取り付けることも可能である。
ガイド部材２２ａは、閃光発光装置をカメラ１０に対して適正に配置するために、ガイド（爪）が両端に設けられた板部材であり、その下面部にネジ孔２２ｄが４箇所形成され、固定ビス２７によって保持部材２１の固定孔２１ｃに固定される。また、閃光発光装置からの荷重に耐えられるような強度を得るために金属（例えば、黄銅）で形成されている。
【００１１】
バネ部材２２ｂは、アクセサリシュー２２に後付けされた閃光発光装置をガイド部材２２ａに対して付勢する板バネである。
接点部材２２ｃは、閃光発光装置を発光させるタイミングの信号を閃光発光装置に出力する端子である。接点部材２２ｃは、閃光発光装置がアクセサリシュー２２に取り付けられたときに、閃光発光装置側に設けられた入力端子と接触して、タイミングの信号を閃光発光装置へと伝達する。
【００１２】
前カバー２３は、カメラ本体部の前部を覆う外観部材であり、前カバー２３の上面の後カバー２４と接触する端部の一部から、後方（後カバー２４側）に突き出た突き出し部２３ａが設けられている。突き出し部２３ａは、その上面が、前カバー２３の上面よりも下方に位置しており、突き出し部２３ａ上には、固定孔２３ｂが設けられ、保持部材２１のネジ孔２１ａと固定ビス２５によって２箇所で固定される。また、突き出し部２３ａ上の固定孔２３ｂに隣接する位置に、後述の後カバー２４と前カバー２３とを併せて固定する固定孔２３ｃが１箇所設けられている。前カバー２３の上面の右端部には、アクセサリシュー２２をカメラ筐体２０から表出させる切り欠き部２３ｄが設けられている。
【００１３】
前カバー２３は、カメラ本体部を単に覆うだけの部材ではなく、保持部材２１と固定されることで、閃光発光装置によって荷重がかかるアクセサリシュー２２の固定部を補強する役割を有している。そのため、前カバー２３は、高い強度を持つ必要があり、金属（例えば、マグネシウムダイカスト）で形成されている。また、前カバー２３の保持部材２１との固定は、固定孔２３ｂ及び固定孔２３ｃを介して、固定ビス２５及び固定ビス２６によって合計３箇所でネジ孔２１ａ及びネジ穴２１ｂに強固に固定されている。
ここで、保持部材２１、アクセサリシュー２２及び前カバー２３は、金属で形成されており、互いに電気的に導通するように接触している。したがって、静電気などがアクセサリシュー２２に帯電したとしても、アクセサリシュー２２よりも面積の大きい前カバー２３に帯電した静電気が流れ、カメラ本体部に設けられた静電気に弱い電子機器及び制御部に悪影響を及ぼすのを防止している。
【００１４】
後カバー２４は、カメラ本体部の後部を覆う外観部材であり、保持部材２１に固定された前カバー２３の突き出し部２３ａを覆うように形成されている。よって、後カバー２４は、保持部材２１と前カバー２３とを固定する固定ビス２５を隠蔽することができる。また、後カバー２４は、前カバー２３の固定孔２３ｃに対応する位置に、固定孔２４ａが設けられ、前カバー２３の突き出し部２３ａを挟んで、固定ビス２６によって保持部材２１のネジ孔２１ｂに固定される。さらに、後カバーの上面の右端部には、前カバー２３と同様に、アクセサリシュー２２を表出させる切り欠き部２４ｂが設けられている。
ここで、前カバー２３が金属で形成されていることにより、アクセサリシュー２２の固定部を十分に補強しているので、後カバー２４は、アクセサリシュー２２の固定部の補強を考慮することなく、樹脂などの金属よりも安価な部材で形成することができ、カメラ１０の製造コストを低減することができる。
【００１５】
また、保持部材２１に前カバー２３を固定したときの固定ビス２５の頭部２５ａの上端部が、図４に示すように、前カバー２３の上面よりも低い位置になっているので、後カバー２４は、突き出し部２３ａを覆うようにして取り付けられることによって、固定ビス２５を隠蔽するとともに、前カバー２３及び後カバー２４の上面を略同一面にすることができ、カメラ１０の美観を向上させている。
【００１６】
次に、カメラ１０の使用方法について説明する。図５は、前カバー及び後カバーの固定方法の比較形態を示す断面図である。
撮影者が被写体を撮影するために、カメラ１０のレンズ部６０を被写体に向けたら、カメラ１０のファインダー部３０又は表示部４０には、被写体像が写し出される。このとき、写し出した被写体像が、撮影場所が暗いなどの理由によって閃光発光装置が必要となる場合、撮影者は、カメラ１０のアクセサリシュー２２に閃光発光装置を取り付ける。アクセサリシュー２２は、それを保持する保持部材２１が前カバー２３と固定ビス２５及び固定ビス２６によって３箇所で固定されているので、アクセサリシュー２２に、より大きな荷重がかかることが予想される大型の閃光発光装置が取り付けられたとしても、破損することなくカメラ１０上に閃光発光装置を固定することができる。
【００１７】
アクセサリシューの固定部を補強するための構造として、図５に示すような比較形態を有したカメラが考えられる。図５に示すカメラは、前カバー２３−２及び後カバー２４−２が保持部材２１−２に固定ビス２５−２によって固定されている。そのため、アクセサリシューの固定部を補強するために、前カバー２３−２及び後カバー２４−２の両方に高い強度を持たせる必要があり、例えば、前カバー２３−２及び後カバー２４−２の両方を金属で形成したり、樹脂で形成した場合は厚みを厚くしたりすることが考えられるが、カメラのコスト高やカメラの小型化の阻害要因になることが予想された。また、前カバー２３−２及び後カバー２４−２を固定する固定ビス２５−２が、カメラの外装に表出してしまい、カメラの美観を損なう要因となることも考えられた。そこで、本実施形態の構成を取ることによって、前記した要因を改善している。
【００１８】
以上より、本実施形態のカメラには以下のような効果がある。
（１）カメラ１０は、アクセサリシュー２２を保持した保持部材２１と前カバー２３との固定部を隠蔽する後カバー２４を備えているので、固定ビス２５をカメラ１０の外観から表出させることなく前カバー２３を固定することができ、カメラ１０の美観を向上させることができる。
特に、本実施形態の閃光発光装置を後付けするアクセサリシュー２２は、その機能上、カメラ１０の上部に配置され、それを固定する保持部材２１もカメラ１０の上部に配置される。そのため、保持部材２１と前カバー２３との固定部も上部に位置するので、外観としては目立つ位置となるカメラ１０の上部に、固定ビス２５を表出してカメラ１０の美観が大幅に低下するのを防止することができる。
【００１９】
（２）前カバー２３は、保持部材２１と固定される突き出し部２３ａを備え、保持部材２１及び突き出し部２３ａが固定され、その固定部が後カバー２４によって隠蔽されたときに、前カバー２３の上面が、後カバー２４の上面と略同一面を形成するので、カメラ１０の外観に形成される凹凸形状を減らすことができ、カメラ１０の美観を向上させることができる。
（３）カメラ１０は、保持部材２１、アクセサリシュー２２及び前カバー２３が金属で形成され、固定ビス２５及び固定ビス２６によって３箇所で固定されているので、アクセサリシュー２２に閃光発光装置が取り付けられても、閃光発光装置からの荷重によって破損することなくカメラ１０上に閃光発光装置を固定することができる。
また、この構造により、閃光発光装置を固定するアクセサリシュー２２の固定部を前カバー２３により補強しているので、後カバー２４は、アクセサリシュー２２の固定部の補強を考慮することなく、樹脂などの安価な部材で形成することができ、カメラ１０の製造コストを低減させたり、カメラ１０の小型化の阻害要因をなくしたりすることができる。
さらに、静電気などがアクセサリシュー２２に帯電したとしても、撮影者がカメラ１０の前カバー２３に触れることで帯電した静電気を除去することができる。
【００２０】
（変形例）
以上説明した実施形態に限定されることなく、種々の変形や変更が可能であって、それらも本発明の均等の範囲内である。
（１）本実施形態では、電子機器としてデジタル式のカメラ１０を例にして説明したが、それ以外の電子機器、例えば、携帯電話機や、フィルム式のカメラ、ノート型のパーソナルコンピュータなどに適用してもよい。
（２）本実施形態では、高い強度を持たせた前カバー２３を保持部材２１に固定してアクセサリシュー２２の固定部を補強させたが、後カバー２４に高い強度を持たせて保持部材２１に固定してもよい。この場合、前カバー２３は、樹脂などの安価な材料で形成することができる。
【００２１】
（３）本実施形態では、閃光発光装置からの荷重が集中するアクセサリシュー２２を保持部材２１に固定したが、それ以外の荷重が集中する部材を保持部材２１に固定してもよい。例えば、カメラ１０を自立可能にする三脚の取り付け部材（三脚座）や、可動式の外部液晶の取り付け部材や、カメラ１０のストラップの取り付け部材などを固定することも可能である。このとき、保持部材２１は、カメラ１０内の上部に配置される必要はなく、三脚であれば、例えば、下部に、外部液晶やストラップであれば、例えば、側部に配置されてもよい。
【００２２】
（４）本実施形態では、前カバー２３は、金属で形成して強度を持たせたが、樹脂で形成してもよい。その場合、前カバー２３の厚みを厚くするなどして、前カバー２３の強度を持たせる必要がある。
（５）本実施形態では、後カバー２４は、前カバー２３とともに保持部材２１に固定ビス２６によって固定されたが、固定ビス２６を使用せずに、後カバー２４を前カバー２３に嵌合して固定してもよい。その場合、カメラ１０の外観に表出する固定ビスはなくなり、カメラ１０の美観をさらに向上させることができる。
【図面の簡単な説明】
【００２３】
【図１】本発明による電子機器の実施形態であるカメラを示す模式図である。
【図２】図１（ａ）のＡ部のカメラ筐体の詳細を示す図である。
【図３】図２を分解した図である。
【図４】図２のＢ−Ｂ断面を示す図である。
【図５】前カバー及び後カバーの固定方法の比較形態を示す断面図である。
【符号の説明】
【００２４】
１０：カメラ、２０：カメラ筐体、２１：保持部材、２２：アクセサリシュー、２３：前カバー、２４：後カバー、３０：ファインダー部、４０：表示部、５０：操作部、６０：レンズ部
【図１】
2008191229.tif 000003
【図２】
2008191229.tif 000004
【図３】
2008191229.tif 000005
【図４】
2008191229.tif 000006
【図５】
2008191229.tif 000007